(57)【要約】【課題】温湿度センサが感光体から離れていても、適確な待ち時間を設定して感光体の表面の膜厚検出を高精度に行うことができ、しかも低コストで省スペースが図られる画像形成装置を提供する。【解決手段】この画像形成装置では、内部に帯電系部材（感光体４２、帯電ローラ４３）と隔てて搭載した温湿度センサ５５で検出した温湿度と予め推測される帯電系部材の近傍の温湿度との差が感光体４２の表面の膜厚の検出精度に必要な一定値以下となる待ち時間をＣＰＵ５１で算出する。ＣＰＵ５１は、コントローラ５２経由でタイマ５４から経過時間を取得し、電力値指令信号を送出した帯電用高圧電源４１からの電力値帰還信号に基づいて感光体４２の表面の膜厚の検出精度に殆ど影響しない待ち時間を算出し、算出した待ち時間を目標とする放置時間としてメモリ５３に記憶すると共に、その目標とする放置時間を経過した後の条件下で感光体４２の表面の膜厚を検出する。【選択図】図４
2018124454.tif 000002
【特許請求の範囲】
【請求項１】
帯電用に高圧な電力供給を行う帯電用高圧電源と、前記電力供給を受けて帯電される帯電部材と、前記帯電部材を介して帯電の対象とされる作像媒体の感光体と、前記帯電用高圧電源に前記電力供給への電力値指令信号を出力し、且つ当該帯電用高圧電源からの電力値帰還信号に基づいて当該電力供給を制御する制御手段と、経過時間をカウントするタイマと、前記タイマによる前記経過時間に基づいて算出された目標とする放置時間を記憶する記憶手段と、前記感光体とは隔たった設置箇所で自装置内の温度を検出する温度センサと、前記感光体とは隔たった設置箇所で自装置内の湿度を検出する湿度センサと、を備えた画像形成装置であって、
前記制御手段は、前記タイマから前記経過時間を取得し、前記温度センサで検出された前記自装置内の温度と予め推測される前記感光体の近傍の温度との差、並びに前記湿度センサで検出された当該自装置内の湿度と予め推測される当該感光体の近傍の湿度との差の少なくとも一方が当該感光体の検出精度に必要な一定値以下となる待ち時間を算出して前記目標とする放置時間に定めて前記記憶手段に記憶し、且つ当該放置時間の経過後に当該感光体の表面の膜厚の検出を行うことを特徴とする画像形成装置。
【請求項２】
請求項１記載の画像形成装置において、
前記制御手段は、前記帯電部材又は前記感光体の材質が持つ熱伝導率の相違に応じて前記放置時間を切り替えることを特徴とする画像形成装置。
【請求項３】
請求項１記載の画像形成装置において、
前記制御手段は、前記帯電部材又は前記感光体の材質が持つ熱容量の相違に応じて前記放置時間を切り替えることを特徴とする画像形成装置。
【請求項４】
請求項１記載の画像形成装置において、
前記制御手段は、前記帯電部材又は前記感光体の材質の表面積の相違に応じて前記放置時間を切り替えることを特徴とする画像形成装置。
【請求項５】
請求項１記載の画像形成装置において、
前記制御手段は、前記温度センサに係る前記自装置内の温度の測定対象物の設置箇所から前記感光体近傍の設置箇所までの距離又は前記湿度センサに係る当該自装置内の温度の測定対象物の設置箇所から当該感光体近傍の設置箇所までの距離の相違に応じて前記放置時間を切り替えることを特徴とする画像形成装置。
【請求項６】
請求項１記載の画像形成装置において、
前記制御手段は、前記温度センサに係る前記自装置内の温度の測定対象物の設置箇所から前記感光体近傍の設置箇所までの距離又は前記湿度センサに係る当該自装置内の温度の測定対象物の設置箇所から当該感光体近傍の設置箇所までのレイアウトの態様に応じて前記放置時間を切り替えることを特徴とする画像形成装置。
【請求項７】
請求項１記載の画像形成装置において、
前記制御手段は、帯電方式の相違に応じて前記放置時間を切り替えることを特徴とする画像形成装置。
【請求項８】
請求項１記載の画像形成装置において、
前記制御手段は、画像形成対象の記録媒体の枚数に応じて前記放置時間を切り替えることを特徴とする画像形成装置。
【請求項９】
請求項１記載の画像形成装置において、
前記制御手段は、画像形成対象の記録媒体の種類に応じて前記放置時間を切り替えることを特徴とする画像形成装置。
【請求項１０】
請求項１記載の画像形成装置において、
前記制御手段は、記録媒体に対する画像形成用の画像データの種類に応じて前記放置時間を切り替えることを特徴とする画像形成装置。
【請求項１１】
請求項１記載の画像形成装置において、
前記制御手段は、前記帯電部材又は前記感光体の経過使用後の熱伝導率の変化に応じて前記放置時間を切り替えることを特徴とする画像形成装置。
【請求項１２】
請求項１記載の画像形成装置において、
前記制御手段は、前記電力供給で印加される高電圧の強さと印加時間とに関係した静電疲労の回復時間を加味して前記放置時間を設定することを特徴とする画像形成装置。
【請求項１３】
請求項１記載の画像形成装置において、
前記制御手段は、潜像画像描画のための書込照射量と除電光量とに関係した光疲労の回復時間を加味して前記放置時間を設定することを特徴とする画像形成装置。
【請求項１４】
請求項１記載の画像形成装置において、
前記制御手段は、前記感光体の表面の前記膜厚の検出精度に応じて前記放置時間の差分値を切り替えることを特徴とする画像形成装置。
【請求項１５】
帯電用高圧電源が帯電用に高圧な電力供給を行う電力供給ステップと、
帯電部材が前記電力供給を受けて帯電される帯電ステップと、
作像媒体の感光体が前記帯電ステップを経て帯電の対象となる帯電対象ステップと、
制御手段が前記電力供給ステップでの前記電力供給への電力値指令信号を出力し、且つ当該電力供給ステップからの電力値帰還信号に基づいて当該電力供給を制御する制御ステップと、
タイマが経過時間をカウントするカウントステップと、
記憶手段が前記カウントステップによる前記経過時間に基づいて目標とする放置時間を記憶する記憶ステップと、
温度センサが前記感光体とは隔たった設置箇所で自装置内の温度を検出する温度検出ステップと、
湿度センサが前記感光体とは隔たった設置箇所で自装置内の湿度を検出する湿度検出ステップと、を有する画像形成装置の制御方法であって、
前記制御ステップでは、前記カウントステップでの前記タイマから前記経過時間を取得し、前記温度検出ステップで検出された前記自装置内の温度と予め推測される前記感光体の周囲の温度との差、並びに前記湿度検出ステップで検出された当該自装置内の湿度と予め推測される当該感光体の周囲の湿度との差の少なくとも一方が当該感光体の表面の膜厚の検出精度に必要な一定値以下となる待ち時間を算出して前記目標とする放置時間に定めて前記記憶ステップで記憶させ、当該放置時間の経過後に当該感光体の表面の当該膜厚の検出を行うことを特徴とする画像形成装置の制御方法。
【請求項１６】
請求項１５記載の画像形成装置の制御方法において、
前記制御ステップでは、前記帯電部材又は前記感光体の材質が持つ熱伝導率の相違、熱容量の相違、表面積の相違の少なくとも１つに応じて前記放置時間を切り替えることを特徴とする画像形成装置の制御方法。
【請求項１７】
請求項１５記載の画像形成装置の制御方法において、
前記制御ステップでは、前記温度検出ステップでの前記温度センサに係る前記自装置内の温度の測定対象物の設置箇所から前記感光体近傍の設置箇所までの距離又は前記湿度検出ステップでの前記湿度センサに係る当該自装置内の温度の測定対象物の設置箇所から当該感光体近傍の設置箇所までの距離の相違、或いは当該距離におけるレイアウトの態様に応じて前記放置時間を切り替えることを特徴とする画像形成装置の制御方法。
【請求項１８】
請求項１５記載の画像形成装置の制御方法において、
前記制御ステップでは、帯電方式の相違、画像形成対象の記録媒体の枚数、当該記録媒体の種類、当該記録媒体に対する画像形成用の画像データの種類、前記帯電部材又は前記感光体の経過使用後の熱伝導率の変化の少なくとも１つに応じて前記放置時間を切り替えることを特徴とする画像形成装置の制御方法。
【請求項１９】
請求項１５記載の画像形成装置の制御方法において、
前記制御ステップでは、前記電力供給で印加される高電圧の強さと印加時間とに関係した静電疲労の回復時間、或いは潜像画像描画のための書込照射量と除電光量とに関係した光疲労の回復時間を加味して前記放置時間を設定することを特徴とする画像形成装置の制御方法。
【請求項２０】
請求項１５記載の画像形成装置の制御方法において、
前記制御ステップでは、前記感光体の表面の前記膜厚の検出精度に応じて前記放置時間の差分値を切り替えることを特徴とする画像形成装置の制御方法。
【発明の詳細な説明】
【技術分野】
【０００１】
本発明は、画像形成装置及びその制御方法に関する。
【背景技術】
【０００２】
従来、複合機（ＭＦＰ：ＭｕｌｔｉＦｕｎｃｔｉｏｎ  Ｐｅｒｉｐｈｅｒａｌ）仕様の画像形成装置では、帯電制御の最適化や感光体の寿命の測定を目的として、帯電装置の出力電圧値や出力電流値を測定することで感光体の膜厚量を計測している。この際、感光体周囲の温湿度情報を用いることで膜厚量の計測精度が向上する。
【０００３】
係る感光体の膜厚計測に関連する周知技術として、周囲環境変化及び膜厚の経年変化に拘わらず、感光体ドラムの膜厚に応じた適切な帯電電圧を用いて、帯電電圧の印加制御を行う「画像形成装置及び帯電電圧制御方法」（特許文献１参照）が挙げられる。
【発明の概要】
【発明が解決しようとする課題】
【０００４】
上述した特許文献１に開示された技術では、周囲環境変化及び膜厚の経年変化に拘らず、感光体ドラム（単に感光体と呼ばれても良い）の膜厚に応じた適切な帯電電圧を用いてその帯電電圧の印加制御を行うことを目的としている。具体的には、帯電直流高電圧‐帯電電流特性の傾きに基づいて検出した感光体の表面の膜厚を、温湿度センサより検知した帯電装置及び感光体の周囲の温湿度に応じて予め定められた補正値を用いて補正する技術が開示されている。
【０００５】
しかしながら、特許文献１に開示された技術によれば、感光体の周囲に温湿度センサを設けるため、コストアップとなるばかりでなく、更に設置スペースを確保するために画像形成装置の全体のサイズを大きくしなければならないという問題がある。
【０００６】
本発明は、このような問題点を解決すべくなされたもので、その技術的課題は、温湿度センサが感光体から離れていても、適確な待ち時間を設定して感光体の表面の膜厚検出を高精度に行うことができ、しかも低コストで省スペースが図られる画像形成装置及びその制御方法を提供することにある。
【課題を解決するための手段】
【０００７】
上記技術的課題を解決するため、本発明の一態様は、帯電用に高圧な電力供給を行う帯電用高圧電源と、電力供給を受けて帯電される帯電部材と、帯電部材を介して帯電の対象とされる作像媒体の感光体と、帯電用高圧電源に電力供給への電力値指令信号を出力し、且つ当該帯電用高圧電源からの電力値帰還信号に基づいて当該電力供給を制御する制御手段と、経過時間をカウントするタイマと、タイマによる経過時間に基づいて算出された目標とする放置時間を記憶する記憶手段と、感光体とは隔たった設置箇所で自装置内の温度を検出する温度センサと、感光体とは隔たった設置箇所で自装置内の湿度を検出する湿度センサと、を備えた画像形成装置であって、制御手段は、タイマから経過時間を取得し、温度センサで検出された自装置内の温度と予め推測される感光体の近傍の温度との差、並びに湿度センサで検出された当該自装置内の湿度と予め推測される当該感光体の近傍の湿度との差の少なくとも一方が当該感光体の検出精度に必要な一定値以下となる待ち時間を算出して目標とする放置時間に定めて記憶手段に記憶し、且つ当該放置時間の経過後に当該感光体の表面の膜厚の検出を行うことを特徴とする。
【発明の効果】
【０００８】
本発明によれば、上記構成により、温湿度センサが感光体から離れていても、適確な待ち時間を設定して感光体の表面の膜厚検出を高精度に行うことができ、しかも低コストで省スペースが図られる。上記した以外の課題、構成及び効果は、以下の実施の形態の説明により明らかにされる。
【図面の簡単な説明】
【０００９】
【図１】本発明の実施例に係る画像形成装置の概略構成を示したブロック図である。
【図２】図１に示す画像形成装置の機能ブロック図である。
【図３】図１に示す画像形成装置の電子写真方式の作像プロセスでの要部となる間接転写における転写クリーニング機構の概略構成を示す図である。
【図４】図３に示す転写クリーニング機構の帯電用高圧電源の電力供給を制御する制御系回路を示す概略ブロック図である。
【図５】図１に示す画像形成装置に適用される温度センサの設置箇所の相違による時間と温度との関係を示す特性図である。
【図６】図１に示す画像形成装置のマシン動作毎に放置時間へ追加時間を加算するようにした場合の時間と温度との関係を示す特性図である。
【図７】図４に示す制御系回路の帯電系部材に熱伝導率が異なる物質を用いた場合の特性変化を時間に対する温湿度センサの温度と帯電系部材近傍の温度との差の関係で例示した図である。
【図８】図４に示す制御系回路の帯電系部材及びその周辺部材の近傍における印刷動作時の温度分布領域に対する温湿度センサの配置パターンを例示した概略図である。
【図９】図４に示す制御系回路の帯電系部材に係る帯電方式の違いによる特性変化を時間に対する温湿度センサの温度と帯電系部材近傍の温度との差の関係で例示した図である。
【図１０】図１に示す画像形成装置で複数枚の印刷時の特性変化を時間に対する温湿度センサの温度と帯電系部材近傍の温度との差の関係で例示した図である。
【図１１】図４に示す制御系回路に係る基本制御の動作処理を示すフローチャートである。
【図１２】図４に示す制御系回路に係る動作要求適応制御の動作処理を示すフローチャートである。
【図１３】図１１の基本制御の動作処理中又は図１２の動作要求適応制御の動作処理中に含まれる放置時間導出の処理の細部を印刷モードに応じて行う場合の動作処理を示すフローチャートである。
【発明を実施するための形態】
【００１０】
以下、本発明の画像形成装置、及びその制御方法について、以下に実施例を挙げ、図面を参照して詳細に説明する。
【実施例】
【００１１】
図１は、本発明の実施例に係る画像形成装置１の概略構成を示したブロック図である。
【００１２】
図１を参照すれば、この画像形成装置１は、プリンタ、スキャナ、複写機、ファクシミリ等の機能を一つの筐体に纏めたデジタル複合機（ＭＦＰ：ＭｕｌｔｉＦｕｎｃｔｉｏｎ  Ｐｅｒｉｐｈｅｒａｌ）のタイプのものである。
【００１３】
この画像形成装置１は、それぞれ独立して生産された本体部１０と操作部２０とから構成される。画像形成装置１は、本体部１０に対して操作部２０を組み付け、組み付け後にインターフェースケーブル３００で互いに接続されて構成される。本体部１０は、中央演算処理部を示すＣＰＵ１１、ＲＯＭ１２、ＲＡＭ１３、ハードディスクドライブを示すＨＤＤ１４、通信Ｉ／Ｆ１５、接続Ｉ／Ｆ１６、及びプリントエンジン１７を備え、これらが共通バス１８で接続されている。操作部２０は、中央演算処理部を示すＣＰＵ２１、ＲＯＭ２２、ＲＡＭ２３、不揮発性メモリであるフラッシュメモリ２４、通信Ｉ／Ｆ２５、接続Ｉ／Ｆ２６、操作パネル２７、及び外部接続Ｉ／Ｆ２８を備え、これらが共通バス２９で接続されている。尚、Ｉ／Ｆはインターフェースの表記である。
【００１４】
このうち、接続Ｉ／Ｆ１６と接続Ｉ／Ｆ２６とをインターフェースケーブル３００により接続して、本体部１０と操作部２０とが相互に接続される。また、通信Ｉ／Ｆ１５と通信Ｉ／Ｆ２５とはそれぞれローカルエリアネットワークＬＡＮ等のネットワーク３０に接続される。更に、ＲＡＭ１３とＲＡＭ２３とには後述するように異なる初期化処理の内容に対応するモデルタイプ値が記憶され、初期化処理の実施によりアプリケーションソフトウェアがインストールされる。因みに、接続Ｉ／Ｆ１６と接続Ｉ／Ｆ２６とが無線通信機能を持つ場合にはインターフェースケーブル３００で接続せずに操作部２０を本体部１０から取り外して別体として使用することもできる。
【００１５】
本体部１０におけるＣＰＵ１１は、モデルタイプの有無の判断機能と、異なる初期化処理の内容に対応するモデルタイプ値の記憶処理を含む情報処理機能と、を有する。また、本体部１０のＣＰＵ１１は、操作部２０の組み付け時に、記憶手段であるＲＡＭ１３に記憶されている記憶内容を読み込んでモデルタイプの有無とモデルタイプの値とを接続Ｉ／Ｆ１６及びインターフェースケーブル３００経由で操作部２０へ通知する機能を持つ。更に、本体部１０のＣＰＵ１１は、出荷前の初期化処理の実施時にＲＡＭ１３にモデルタイプ値を記憶する。そして、操作部２０の組み付け後の起動時に操作部２０に対してモデルタイプ値の通知を行う。このとき、接続Ｉ／Ｆ１６及びインターフェースケーブル３００を経由して本体部１０から通知されたモデルタイプ値に基づいて操作部２０のＣＰＵ２１が初期化処理を実行する。
【００１６】
これに対し、操作部２０のＣＰＵ２１は、本体部１０から記憶媒体のＲＡＭ１３の故障等で部品交換した場合等、モデルタイプが無い通知を受けると自機器の記憶媒体のＲＡＭ２３に記憶しているモデルタイプ値を本体部１０へ通知する。このとき、接続Ｉ／Ｆ２６及びインターフェースケーブル３００を経由して操作部２０から通知されたモデルタイプ値が本体部１０のＣＰＵ１１の情報処理機能の記憶処理によって部品交換されたＲＡＭ１３へ記憶される。
【００１７】
また、操作部２０のＣＰＵ２１は、本体部１０から通知されたモデルタイプ値を参照し、そのモデルタイプ値に応じて初期化処理の内容を切り替えて実施する機能を持つ。更に、操作部２０のＣＰＵ２１は、初期化処理の内容として、本体部１０の各機種に合わせて必要なアプリケーションソフトウェアのみを残し、不要なアプリケーションソフトウェアを削除する処理を実施する機能を持つ。加えて、操作部２０のＣＰＵ２１は、記憶媒体のＲＡＭ２３に部品交換等でモデルタイプ値が記憶されていない場合には、本体部１０から通知されたモデルタイプ値に応じて初期化処理を実行した後にそのモデルタイプ値を自機器用としてＲＡＭ２３に記憶する機能を持つ。
【００１８】
因みに、図１に示す画像形成装置１では、操作部２０が本体部１０に組み付けられた構成を例示しているが、組み付け前の操作部２０と本体部１０とを合わせた機器構成は画像形成システムとみなすこともできる。即ち、画像形成装置１は情報処理装置の一例であるので、情報処理システムとみなすこともできる。
【００１９】
図２は、上述した画像形成装置１の機能ブロック図である。
【００２０】
図２を参照すれば、画像形成装置１は、機能ブロック上で本体部１０のコントローラ１００と操作部２０のコントローラ２００とが接続されて構成される。本体部１０のコントローラ１００は、印刷制御部１０１、画像生成部１０２、送受信部１０３、記憶・読出処理部１０４、ジョブ処理判断部１０５、及び記憶部１０６を有している。
【００２１】
コントローラ１００の送受信部１０３は、図１に示されている接続Ｉ／Ｆ１６によって実現され、ＵＳＢ通信によって操作部２０と各種データ（情報）の送受信を行う。
【００２２】
コントローラ１００の画像生成部１０２は、図１に示されているＣＰＵ１１からの命令、ＲＯＭ１２に記憶されているコントローラ用プログラム、ＲＡＭ１３によって実現され、ユーザジョブのデータを展開し、画像イメージとしてＲＡＭ１３に描画する。
【００２３】
コントローラ１００の記憶・読出処理部１０４、図１に示されているＣＰＵ１１からの命令、ＲＯＭ１２に記憶されているコントローラ用プログラムによって実現される。記憶・読出処理部１０４は、記憶部１０６に各種データを記憶したり、記憶部１０６に記憶された各種データを読み出したりする処理を行う。
【００２４】
コントローラ１００の印刷制御部１０１は、図１に示されているＣＰＵ１１からの命令、ＲＯＭ１２に記憶されているコントローラ用プログラム、プリントエンジン１７、及び接続Ｉ／Ｆ１６によって実行される。印刷制御部１０１は、プリントエンジン１７の制御を行うことによって、画像生成部１０２によってＲＡＭ１３に描画された画像イメージを紙に転写したり、印刷したりする。
【００２５】
コントローラ１００のジョブ処理判断部１０５は、図１に示されているＣＰＵ１１からの命令、ＲＯＭ１２に記憶されているコントローラ用プログラム、及び接続Ｉ／Ｆ１６によって実行される。ジョブ処理判断部１０５は、コントローラ１００の起動の際に、記憶部１０６に格納されたトレイ情報管理テーブルを取得する。ジョブ処理判断部１０５は、操作部２０によって送信されるジョブ処理要求に従って、トレイ情報管理テーブルからジョブ処理要求によって指定されたトレイ番号に紐付けられた印刷設定情報を抽出する。ジョブ処理要求の印刷条件情報には、ジョブ処理を要求する情報と共に、用紙サイズ、用紙の向き等の印刷設定情報、両面及び片面の何れで印刷処理を行うか、２頁を１頁に印刷するか等の印刷編集条件が付帯される。ジョブ処理判断部１０５は、トレイ情報管理テーブルから抽出した印刷設定情報の用紙サイズ、及び用紙の向きと、ジョブ処理要求に付帯される用紙サイズ、及び用紙の向きと一致するか否かを判断する。そこで、ジョブ処理判断部１０５は、一致する場合には印刷制御部１０１にジョブ処理要求の印刷条件情報に従って処理することを要求し、一致しない場合にはジョブ処理要求によって要求されたジョブをキャンセルすると判断する。ジョブ処理判断部１０５は、ジョブをキャンセルすると判断した場合、ジョブをキャンセルすることを表す情報を送受信部１０３からコントローラ２００に送信する。
【００２６】
操作部２０のコントローラ２００は、送受信部２０１、ジョブ受付部２０２、記憶・読出処理部２０３、表示制御部２０４、及び記憶部２０５を有している。これら各部は、図１に示されている各構成要素のいずれかが、ＲＯＭ２２に記憶されている操作部用プログラムに従ったＣＰＵ２１からの命令によって動作することで実現される機能或いは手段である。また、コントローラ２００は、図１に示されている不揮発性メモリであるフラッシュメモリ２４によって構築される記憶部２０５を有している。記憶部２０５には、トレイ情報管理テーブルが格納されている。
【００２７】
コントローラ２００の送受信部２０１は、図１に示されている接続Ｉ／Ｆ２６によって実現され、ＵＳＢ通信によってコントローラ１００と各種データ（情報）の送受信を行う。
【００２８】
コントローラ２００の記憶・読出処理部２０３は、図１に示されているＣＰＵ２１からの命令によって実行される。記憶・読出処理部２０３は、記憶部２０５に各種データを記憶したり、記憶部２０５に記憶された各種データを読み出したりする処理を行う。
【００２９】
コントローラ２００の表示制御部２０４は、図１に示されているＣＰＵ２１からの命令、ＲＯＭ２２に記憶されている操作部用プログラムによって実現され、表示部の表示画面上への画像表示を制御する。また、表示制御部２０４は、ユーザが表示部の表示画面上の表示を押し下げることによって行われる操作により作成される操作情報をジョブ受付部２０２に入力する。例えば、表示制御部２０４は、ユーザが印刷することなどのジョブ処理を要求する操作を行うことによって作成されるジョブ処理要求をジョブ受付部２０２に入力する。ユーザは、記憶部２０５に格納されたトレイ情報管理テーブルに基づいて、ジョブ処理要求を入力することができる。そこで、表示制御部２０４は、ジョブ処理要求に対する応答として、ジョブ処理がキャンセルされたことを表わす情報がジョブ受付部２０２から入力された場合には、表示部の表示画面上にそのジョブがキャンセルされたことを表示する。
【００３０】
コントローラ２００のジョブ受付部２０２は、図１に示されているＣＰＵ２１からの命令、ＲＯＭ２２に記憶されている操作部用プログラムによって実現される。ジョブ受付部２０２は、表示制御部２０４によってジョブ処理要求が入力された場合に、送受信部２０１からコントローラ１００に送信する。ジョブ受付部２０２は、ジョブ処理要求に対する応答として、コントローラ１００によって送信されるジョブ処理がキャンセルされたことを表す情報が送受信部２０１から入力された場合には、表示制御部２０４にジョブ処理がキャンセルされたことを表示するように命令する。
【００３１】
上述した実施例に係る画像形成装置１で実行されるプログラム（コントローラ用プログラム、操作部用プログラム）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成しても良い。或いはインターネット等のネットワーク経由で提供又は配布するように構成しても良い他、各種プログラムをＲＯＭ等の不揮発性の記録媒体に予め組み込んで提供するように構成しても良い。
【００３２】
図３は、上述した画像形成装置１の電子写真方式の作像プロセスでの要部となる間接転写における転写クリーニング機構の概略構成を示す図である。
【００３３】
図３を参照すれば、この転写クリーニング機構は、帯電用に高圧な電力供給を行う帯電用高圧電源４１と、電力供給を受けて帯電される帯電ローラ４３と、帯電ローラ４３を介して帯電の対象とされる作像媒体の感光体４２と、を備える。また、画像信号に応じた露光を行って感光体４２の表面に静電潜像を形成する露光部４４と、感光体４２の表面にトナー像を現像する現像器４５と、１次転写用の高圧な電力供給を行う１次転写用高圧電源４９と、を備える。更に、１次転写用高圧電源４９からの高圧な電力供給で高電圧が印加される１次転写ローラ４６と、感光体４２の表面にトナー像が転写される中間ベルト４７と、感光体４２の表面の電荷を除去する除電器４８と、を備える。
【００３４】
この転写クリーニング機構では、帯電用高圧電源４１からの高圧な電力供給で生成された高電圧を帯電ローラ４３に印加して感光体４２の表面を一様に帯電する。その後、露光部４４により画像信号に応じた露光がなされ、感光体４２の表面に静電潜像が形成される。そして、現像器４５によってトナー像を現像することで感光体４２の表面上にトナー像が形成される。更に、１次転写用高圧電源４９からの高圧な電力供給で生成された高電圧を１次転写ローラ４６に印加することで感光体４２の表面上のトナー像が中間ベルト４７に転写（１次転写）される。中間ベルト４７に転写されたトナー像は２次転写部によって記録媒体に転写（２次転写）され、その後に定着手段によって加熱して定着することにより記録媒体上に画像が形成される。因みに、記録媒体は、以下も同様であるように一般的には紙であるが、それ以外のコート紙、ラベル紙等の他、オーバヘッドプロジェクタシート、フィルム、可撓性を持つ薄板等を対象にしても良い。また、除電器４８が設置されている場合には、除電器４８により感光体４２の表面の電荷を除去した後に帯電処理を行う。カラー印刷の場合には、同様な転写クリーニング機構が４つ並設された構成となり、色毎に中間ベルト４７にトナー像を１次転写し、その後に２次転写を経て定着に至る。尚、図３に示す転写クリーニング機構では、帯電用高圧電源４１と感光体４２とが離れている非接触帯電タイプの構成を示しているが、これらが接触している接触帯電タイプの構成についても、適用対象となる。
【００３５】
図４は、上述した転写クリーニング機構の帯電用高圧電源４１の電力供給を制御する制御系回路を示す概略ブロック図である。
【００３６】
図４を参照すれば、この制御系回路は、感光体４２を帯電の対象として高電圧が印加される帯電ローラ４３へ電力供給する帯電用高圧電源４１を制御対象とする。具体的に云えば、制御系回路は、帯電用高圧電源４１に電力供給への電力値指令信号を出力し、且つ帯電用高圧電源４１からの電力値帰還信号に基づいて電力供給の制御と感光体４２の表面の膜厚の検出とを行うＣＰＵ５１を備える。この電力値帰還信号は帯電用高圧電源４１から供給される電力の出力電圧値や出力電流値の何れの帰還信号であっても良い。また、制御系回路は、経過時間をカウントするタイマ５４と、タイマ５４及びＣＰＵ５１に接続されてＣＰＵ５１に対して制御指令値を生成してタイマ５４によるカウント値と合せて出力するコントローラ５２と、を備える。但し、これらのタイマ５４及びコントローラ５２は装置本体電源オフ時にも動作するように別電源から電力供給されるものとする。更に、制御系回路は、ＣＰＵ５１に接続されてタイマ５４の経過時間に基づいて算出された目標とする放置時間をテーブル形式で記憶する記憶手段としてのメモリ５３を備える。加えて、制御系回路は、ＣＰＵ５１に接続されて感光体４２や帯電ローラ４３とは隔たった設置箇所で自装置内の温湿度を検出する温湿度センサ５５を備える。
【００３７】
このうち、温湿度センサ５５は、感光体４２や帯電ローラ４３とは隔たった設置箇所で自装置内の温度を検出する温度センサと感光体４２とは隔たった設置箇所で自装置内の湿度を検出する湿度センサとが別体で設けられる構成であっても良い。また、コントローラ５２及びＣＰＵ５１は、協働して待ち時間を算出して目標とする放置時間に定めてメモリ５３に記憶し、且つその放置時間の経過後に感光体４２の表面の膜厚の検出を行う制御手段として機能する。この待ち時間は、タイマ５４から経過時間を取得し、温湿度センサ５５で検出された自装置内の温湿度と予め推測される感光体４２の周囲の温湿度との差が感光体４２の表面の膜厚の検出精度に必要な一定値以下となる時間を示すものである。温度センサと湿度センサとが別体で設けられる構成であれば、自装置内の温度と予め推測される感光体４２の周囲の温度との差、並びに自装置内の湿度と予め推測される感光体４２の周囲の湿度との差の少なくとも一方が該当するものとなる。
【００３８】
ところで、一般的な画像形成装置１の場合には、設置環境の温湿度によって作像プロセス制御を変更するため、少なくとも1つ以上の温湿度センサ５５を搭載している。しかしながら、感光体４２の周りのレイアウトは帯電モジュールや転写モジュール等が密接して配置されているため、各種センサの搭載スペースを確保することが困難となっている。そのため、感光体４２や帯電ローラ４３を示す帯電系部材の周囲の温湿度を測定するには、レイアウトを大きくする等によりスペースを空けて各種センサを設置する必要がある。こうした場合、コストアップとなるばかりでなく、更に設置スペースの確保するために画像形成装置１の全体のサイズを大きくしなければならないという問題を招くのは技術的課題で説明した通りである。その反面、通常温湿度情報は画像形成装置１内の帯電系部材の周囲以外でも利用されるため、帯電系部材の周囲から離れた場所に設置された温湿度センサ５５からの温湿度情報を帯電系部材の周囲の温湿度として利用することもできる。本実施例では後者の設置構成を採用する。
【００３９】
以下は、印刷等のマシン動作時における画像形成装置１の内部での温湿度センサ５５による温湿度検出値と帯電系部材の周囲の温湿度変化との関係について説明する。印刷等のマシン動作に伴い、画像形成装置１の内部の動作箇所が発熱し、搭載機器箇所（或いはその内部）で温湿度ムラが生じるため、温湿度センサ５５で検出した温湿度と温湿度センサ５５と隔たった空間での温湿度とが一致するとは限らない。しかし、一定時間放置した後には放熱されて温湿度センサ５５で検出した温湿度と画像形成装置１内の帯電系部材の周囲の温湿度との差は一定値以内へ収まる。そこで、画像形成装置１の内部の温湿度を測定したい空間の温湿度センサ５５で検出した温湿度と画像形成装置１の内部の帯電系部材の周囲の温湿度との差を一定値以内へ収束させるための待ち時間を計算して目標の放置時間とすれば良い。また、その目標の放置時間が経過した後に感光体４２の表面の膜厚を検出すれば、高精度に膜厚検出を行うことができる。
【００４０】
図５は、実施例に係る画像形成装置１に適用される温度センサの設置箇所の相違による時間（ｓ）と温度（℃）との関係を示す特性図である。
【００４１】
図５を参照すれば、特性Ｃ１は帯電系部材の周囲に設置された温度センサの現在時刻から一定時間Ｔを経過するまでの温度変化の推移を示しており、特性Ｃ２は帯電系部材から隔たった箇所に設置された温度センサの現在時刻から一定時間Ｔを経過するまでの温度変化の推移を示している。双方を比較すれば、特性Ｃ１では一定時間Ｔに至る前の過程では特性Ｃ２の場合よりも高い温度を維持しているが、時間経過に伴って双方の温度の差は徐々に小さくなって減少接近する傾向を示し、一定時間Ｔに至れば殆ど無くなっている様子が判る。そこで、ここでの差が上述した一定値以内へ収まる経過時間を一定時間Ｔの待ち時間を算出し、その待ち時間を目標とする放置時間とし、目標とする放置時間が経過した後に感光体４２の表面の膜厚を検出すれば精度良く膜厚検出を実施できることが判る。但し、仮に算出した目標とする放置時間中に印刷等のマシン動作が行われると、そのままでは感光体４２の表面の膜厚の検出精度に影響するため、そうした場合には別途対策が必要になる。
【００４２】
図６は、上述した画像形成装置１のマシン動作毎に放置時間へ追加時間を加算するようにした場合の時間（ｓ）と温度（℃）との関係を示す特性図である。
【００４３】
図６を参照すれば、ここでも特性Ｃ３は帯電系部材の周囲に設置された温度センサの現在時刻から一定時間を経過するまでの温度変化の推移を示しており、特性Ｃ４は帯電系部材から隔たった箇所に設置された温度センサの現在時刻から一定時間を経過するまでの温度変化の推移を示している。但し、図６中では例えば第１番目の印刷Ｐ１の後の放置時間Ｔ′中に第２番目の印刷Ｐ２、第３番目の印刷Ｐ３といった印刷等のマシン動作を行った場合の放置時間Ｔ′に対する延長例を示している。即ち、放置時間Ｔ′中に印刷等のマシン動作を行い、画像形成装置１の内部温度が上昇した際、そのマシン動作から推定される温度上昇を加味し、マシン動作毎に放置時間Ｔ′へ追加時間＋α１、＋α２、＋α３を加える。これにより、様々なマシンの使われ方に対しても適切な一定時間の待ち時間を設定することができる。図６中では、第１番目の印刷Ｐ１で放置時間Ｔ′であった場合、第２番目の印刷Ｐ２の後には追加時間＋α１を加え、第３番目の印刷Ｐ３の後には追加時間＋α２を加え、追加時間＋α１中に行われた第４番目の印刷Ｐ４の後には追加時間＋α３を加える場合を例示している。
【００４４】
実施例に係る画像形成装置１では、内部に帯電系部材と隔てて搭載した温湿度センサ５５で検出した温湿度と予め推測される帯電系部材の近傍の温湿度との差が感光体４２の表面の膜厚検出に殆ど影響を与えない一定値以下となる待ち時間をＣＰＵ５１で算出する。因みに、ここでの帯電系部材は感光体４２や帯電ローラ４３を示すのは上述した通りである。また、温湿度相互の差は、図５を参照して説明したように、タイマ５４の経過時間に伴って減少接近の傾向を示し、一定値は感光体４２の表面の膜厚の検出精度に必要な差値となる時間に対応するため、その時間を待ち時間とみなすことができる。即ち、ＣＰＵ５１は、コントローラ５２経由でタイマ５４から経過時間を取得し、電力値指令信号を送出した帯電用高圧電源４１からの電力値帰還信号に基づいて感光体４２の表面の膜厚の検出精度に必要な一定値以下となる待ち時間を算出する。そして、算出した待ち時間を目標とする放置時間としてメモリ５３に記憶すると共に、その放置時間を経過した後の条件下で感光体４２の表面の膜厚を検出する。この結果、温湿度センサ５５が感光体４２から離れていても、適確な待ち時間を設定して感光体４２の表面の膜厚検出を高精度に行うことができ、しかも低コストで省スペースが図られるようになる。しかも、新たに帯電系部材の近傍に温湿度センサ５５を追加することなく膜厚を精度良く検出できる。
【００４５】
ところで、感光体４２の表面の膜厚の検出に必要な精度は、検出内容に応じて変化する。例えば寿命近傍の膜厚で正確に残り寿命を検出したい場合、温湿度の誤差を極力排除するために、温湿度センサ５５の実測値の誤差を±０．０１％以内に抑える必要がある。また、寿命にはまだ遠いが、寿命現象の傾向を知りたい場合には、±０．２％以内に抑える必要がある。更に、寿命検出のための帯電用高圧電源４１からの電力値帰還信号の精度が３％であれば、トータルの検出精度を５％以下に抑えるべく、例えば検出精度が２％以下になるように誤差を０．１５％に設定する等、誤差の決め方は検出したい膜厚精度により変わる。温湿度センサ５５の温湿度と帯電系部材の周囲の温湿度との差が一定値以下となるまでに要する時間は、実験による測定、シミュレーション、理論計算等の様々な方法で決定することができる。ここでは全て実験的に測定を行った時間を目標とする放置時間として設定する。因みに、目標とする放置時間は以下に説明するように、物理的な諸特性や諸要素に応じて切り替え設定が可能なものである。
【００４６】
表１は、図６を参照して説明したマシン動作に際して実験的に導出したモノクロ、カラー、普通紙、厚紙等の様々な印刷条件に対する最適な１枚当たりの追加放置時間を求めた結果を例示したものである。
【表１】
2018124454.tif 000003
表１からは、モノクロよりもカラーの印刷の方が追加放置時間が長くなっており、更に普通紙よりも厚紙の方がより追加放置時間が長くなっていることが判る。
【００４７】
一般に、物質の熱減衰は熱伝導や熱放射によって発生する。特に熱伝導については物質固有の熱伝導性に関係する。また、同じ材質の物質であっても、体積等が大きい（熱容量が大きい）、表面積が大きい（単位時間当たりの熱放射量が大きい）等により、温度変化が異なる。
【００４８】
図７は、図４に示す制御系回路の帯電系部材に熱伝導率が異なる物質を用いた場合の特性変化を時間（ｓ）に対する温湿度センサ５５の温度と帯電系部材近傍の温度との差（℃）の関係で例示した図である。但し、図７中では温湿度センサ５５の温度と帯電部材近傍の温度との差が目標値Δφ以下となるまでの時間を目標とする放置時間とする。例えば温湿度センサ５５の温度と帯電部材近傍の温度との差が±０．２℃以内の場合に感光体４２の表面の膜厚検出誤差（ズレ）が３％以内に収まり、検出精度上で問題ない場合にはφ＝±０．２と設定する。
【００４９】
図７を参照すれば、ここでは温湿度センサ５５の温度と帯電系部材近傍の温度との差の変化を現在時刻Ｔ＝０から電源供給されなくなって自然冷却される様子を示している。具体的に云えば、特性Ｃ５は帯電系部材の熱伝導率が高い場合に該当し、目標とする放置時間Ｔ１が短くなっている。また、特性Ｃ６は帯電系部材の熱伝導率が中程度の場合に該当し、目標とする放置時間Ｔ２は熱伝導率が高い場合の目標とする放置時間Ｔ１よりも長くなっている。更に、特性Ｃ７は帯電系部材の熱伝導率が低い場合に該当し、目標とする放置時間Ｔ３は帯電系部材の熱伝導率が中程度の放置時間Ｔ２よりも長くなっている。そこで、制御手段としてのＣＰＵ５１は、帯電系部材（帯電ローラ４３又は感光体４２）の材質が持つ熱伝導率に応じて放置時間Ｔ１、Ｔ２、Ｔ３を切り替え、最適な目標とする放置時間の設定を行う機能を持たせれば良い。
【００５０】
表２は、熱伝導率が異なる４種類の材質の帯電系部材を用いた場合の１枚印刷後の放置時間を求めた結果を例示したものである。
【表２】
2018124454.tif 000004
表２からは、熱伝導率の高い材質Ｄ、材質Ｃ、材質Ｂ、材質Ａの順で１枚印刷後の放置時間が短くなっていることが判る。換言すれば、熱伝導率の低い材質Ａ、材質Ｂ、材質Ｃ、材質Ｄの順で１枚印刷後の放置時間が長くなっている。但し、別に例え材質が同じ熱伝導率であっても、熱容量が異なる場合には保持している熱量が異なるため、温度減衰の特性が変化する。そこで、制御手段としてのＣＰＵ５１は、帯電系部材の材質の相違に応じて目標とする放置時間を切り替えれば良く、これによって最適な時間設定が可能となる。
【００５１】
表３は、同じ熱伝導率で熱容量の異なる材質の帯電系部材を用いた場合の１枚印刷後の放置時間を求めた結果を例示したものである。
【表３】
2018124454.tif 000005
表３からは、熱容量の高い材質δ、材質γ、材質β、材質αの順で１枚印刷後の放置時間が長くなっていることが判る。換言すれば、熱容量の低い材質α、材質β、材質γ、材質δの順で１枚印刷後の放置時間が短くなっている。そこで、制御手段としてのＣＰＵ５１は、帯電系部材の熱容量の相違に応じて目標とする放置時間を切り替えれば良く、これによって最適な時間設定が可能となる。但し、熱伝導率や熱容量が同じ場合でも、空気や他の物質と接触する表面積が異なる場合、単位時間に失われる熱量が変わるため、温度減衰の特性が変化する。
【００５２】
表４は、同じ熱伝導率及び熱容量で表面積の異なる材質の帯電系部材を用いた場合の１枚印刷後の放置時間を求めた結果を例示したものである。
【表４】
2018124454.tif 000006
表４からは、表面積の大きい材質３）、材質２）、材質１）の順で１枚印刷後の放置時間が長くなっていることが判る。換言すれば、表面積の小さい材質１）、材質２）、材質３）の順で１枚印刷後の放置時間が短くなっている。そこで、制御手段としてのＣＰＵ５１は、帯電系部材の表面積の相違に応じて目標とする放置時間を切り替えれば良く、これによって最適な時間設定が可能となる。
【００５３】
図８は、上述した制御系回路の帯電系部材及びその周辺部材の近傍における印刷動作時の熱分布領域Ｅに対する温湿度センサ５５の配置パターンＱ１、Ｑ２、Ｑ３を例示した概略図である。
【００５４】
図８を参照すれば、ここでの帯電系部材は上述した帯電ローラ４３及び感光体４２を示し、周辺部材は中間ベルト４７、現像器４５の現像部材４５′、１次転写ローラ４６を示す。印刷動作時等のマシン動作時には帯電系部材に接触する周辺部材も発熱し、熱分布領域Ｅが生じる。熱分布領域Ｅでは、ほぼ感光体４２を中心として濃淡で色分けされるように距離が遠い程、温度が低くなっている。温湿度センサ５５の配置パターンＱ１は帯電系部材に近傍の高温度領域からやや離れた中温度領域内に配置された様子を示す。温湿度センサ５５の配置パターンＱ２は中温度領域よりも離れた低温度領域内に配置された様子を示す。温湿度センサ５５の配置パターンＱ３は熱分布領域Ｅ外の相当に離れた位置に配置された様子を示す。ここでは、利用したい温湿度センサ５５と帯電系部材との間の距離が遠い程、マシン動作時に温湿度センサ５５の相互間での温度の差が乖離すると考えられる。そこで、制御手段としてのＣＰＵ５１は、温湿度センサ５５の配置場所と測定対象の測定データとより、自装置内に配置される複数個の温湿度センサ５５の中から最適な放置時間に該当するセンサを選択すれば良い。具体的に云えば、制御手段としてのＣＰＵ５１は、温湿度センサ５５に係る自装置内の温度の測定対象物の設置箇所から感光体４２近傍の設置箇所までの距離の相違に応じて放置時間を切り替えれば良く、これによって最適な時間設定が可能となる。或いは、ＣＰＵ５１が温湿度センサ５５に係る自装置内の温度の測定対象物の設置箇所から感光体４２近傍の設置箇所までの距離の相違に応じて放置時間を切り替えるようにしても同等な効果が得られる。
【００５５】
表５は、温湿度センサ５５の配置パターンＱ１、Ｑ２、Ｑ３に応じた１枚印刷後の放置時間を求めた結果を例示したものである。
【表５】
2018124454.tif 000007
表５からは、感光体４２からの距離が短い温湿度センサ５５の配置パターンＱ１、Ｑ２、Ｑ３の順で１枚印刷後の放置時間が短くなっていることが判る。換言すれば、感光体４２からの距離が遠い温湿度センサ５５の配置パターンＱ３、Ｑ２、Ｑ１の順で１枚印刷後の放置時間が長くなっている。因みに、これらの温湿度センサ５５の近傍に他部材が配置されることも想定される。こうした場合には単純に距離の相違だけでなく、ＣＰＵ５１が広い意味で測定対象物の温湿度センサ５５の設置箇所から感光体４２近傍の設置箇所までのレイアウトの態様に応じて放置時間を切り替えるようにすれば良い。
【００５６】
図９は、上述した制御系回路の帯電系部材に係る帯電方式の違いによる特性変化を時間（ｓ）に対する温湿度センサ５５の温度と帯電系部材近傍の温度との差（℃）の関係で例示した図である。但し、図９中においても、温湿度センサ５５の温度と帯電部材近傍の温度との差が目標値Δφ以下となるまでの時間を目標とする放置時間とする。
【００５７】
図９を参照すれば、帯電系部材が同じ材質や熱容量であっても、感光体４２と帯電ローラ４３とが接触していない非接触帯電方式の特性Ｃ８や接触している帯電接触方式の特性Ｃ９に示されるように帯電方式の違いで必要な放置時間が異なる様相となる。その理由は各部材間での熱の移動量が異なるためであり、必要な放置時間が異なることになる。現在時刻Ｔ＝０後の帯電接触方式の特性Ｃ９の場合、感光体４２が帯電ローラ４３と接触しているために放熱し易く、その目標とする放置時間Ｔ１は非接触帯電方式の特性Ｃ８の目標とする放置時間Ｔ２よりも短くなっている。そこで、制御手段としてのＣＰＵ５１は、帯電方式（或いは作像方式と呼ばれても良い）の相違に応じて放置時間を切り替えれば良く、これによって最適な時間設定が可能となる。
【００５８】
ところで、印刷動作等のマシン動作に伴う通電や物理的な摩擦により、画像形成装置１の内部の温度が上昇する。こうしたマシン動作で発生する熱量は、予め見積もることができるため、マシン動作毎に発生した熱量を加算すれば目標とする放置時間を精度良く更新することができる。例えば１枚印刷、２枚印刷の場合でも、画像形成装置１の立ち上がり動作、立ち下がり動作は何れも１回であり、印刷枚数が２倍に増えたとしても、必要な放置時間が２倍に増えるとは限らない。また、同じ印刷枚数でも用紙の種類により感光体４２に引火する電力量が異なるため、発熱量も変化する。更に、カラー、モノクロの種別によっても使用する感光体が変わるため、周囲から受ける熱の影響が変わる。
【００５９】
図１０は、上述した画像形成装置１で複数枚の印刷時の特性変化を時間（ｓ）に対する温湿度センサ５５の温度と帯電系部材近傍の温度との差（℃）の関係で例示した図である。但し、図１０中においても、温湿度センサ５５の温度と帯電部材近傍の温度との差が目標値Δφ以下となるまでの時間を目標とする放置時間とする。
【００６０】
図１０を参照すれば、現在時刻Ｔ＝０後の１枚目印刷の特性Ｃ１０は現在時刻Ｔ＝０後の４枚目印刷の特性Ｃ１１と比べ、温湿度センサ５５の温度と帯電系部材近傍の温度との差が低くなっている。また、１枚目印刷の放置時間Ｔ１についても、これに加算される追加放置時間＋Ｔ２、＋Ｔ３、＋Ｔ４の総和時間となる４枚目印刷の放置時間よりも短くなっている。因みに、２枚目印刷の放置時間はＴ１＋Ｔ２、３枚目印刷の放置時間はＴ１＋Ｔ２＋Ｔ３、４枚目印刷の放置時間はＴ１＋Ｔ２＋Ｔ３＋Ｔ４である。尚、追加放置時間＋Ｔ２、＋Ｔ３、＋Ｔ４についてはそれぞれほぼ等しい時間が設定されるが、１枚目印刷の放置時間Ｔ１よりは相当に短い時間が設定される。
【００６１】
表６は、複数枚印刷を行い、紙の種類、カラー、モノクロを変えた場合の放置時間の設定例を示したものである。
【表６】
2018124454.tif 000008
表６からは、１枚目印刷時の放置時間はモノクロ、カラー共に普通紙よりも厚紙の方が長く、しかもモノクロの場合よりもカラーの場合の方が長くなっている。２枚目以降印刷時の追加放置時間についても同様であり、モノクロ、カラー共に普通紙よりも厚紙の方が長く、しかもモノクロの場合よりもカラーの場合の方が長くなっている。そこで、制御手段としてのＣＰＵ５１は、画像形成対象の記録媒体である用紙の枚数、用紙の種類、画像データの種類（モノクロ、カラー）に応じて放置時間を切り替えれば良く、これによって最適な時間設定が可能となる。
【００６２】
その他、画像形成装置１における帯電系部材の経過的な使用において、帯電系部材を成す物質の表面に不純物が付着したり、物質自体が変質する場合があり、それによって物質の熱伝導性が変化する事象が発生する。そこで、画像形成装置１の帯電系部材の経過的な使用による熱伝導性等の変化を考慮して放置時間を変えることで、最適な時間設定が可能となる。
【００６３】
表７は、画像形成装置１における帯電系部材の経過使用後の熱伝導性の変化を例示したものである。
【表７】
2018124454.tif 000009
表７からは、印刷枚数の増加に伴って熱伝導率が低下し、１枚印刷後の放置時間が長くなっていることが判る。そこで、制御手段としてのＣＰＵ５１は、帯電系部材の経過使用後の熱伝導率の変化に応じて放置時間を切り替えれば良く、これによって最適な時間設定が可能となる。
【００６４】
更に、画像形成装置１の作像プロセスにおける除電器４８による光除電や或いは帯電用高圧電源４１からの高電圧の長時間印加による光疲労や静電疲労によって、一時的に感光体４２の容量成分が変化する。こうした状況下において、感光体４２の表面の膜厚検出を行った場合、温湿度センサ５５による環境温湿度を正しく取得できたとしても、膜厚検出量に誤差が生じる。そのため、温湿度の放置時間だけでなく、光疲労や静電疲労の回復時間も加味して放置時間設定すれば、膜厚検出精度を高めることが可能となる。ここで、光疲労は潜像画像描画のための書込照射光量と除電光量とに関係し、静電疲労は印加する高電圧の強さと印加時間とに関係する。
【００６５】
表８は、印刷モード毎の感光体４２の表面の膜厚検出までの温湿度センサ５５による温湿度以外に静電疲労を加味した放置時間を例示したものである。
【表８】
2018124454.tif 000010
表８からは、１枚目印刷時の放置時間は温湿度及び静電疲労の何れもモノクロ、カラー共に普通紙よりも厚紙の方が長く、しかもモノクロの場合よりもカラーの場合の方が長くなっている。２枚目以降印刷時の追加放置時間についても同様であり、温湿度及び静電疲労の何れもモノクロ、カラー共に普通紙よりも厚紙の方が長く、しかもモノクロの場合よりもカラーの場合の方が長くなっている。そこで、制御手段としてのＣＰＵ５１は、帯電用高圧電源４１から電力供給で印加される高電圧の強さと印加時間とに関係した静電疲労の回復時間を加味して放置時間を設定すれば良く、これによって最適な時間設定が可能となる。例えばカラーの厚紙を３枚印刷した場合、温湿度の放置時間は３４．２ｍｉｎとなるが、このときの静電疲労の回復時間は４０ｍｉｎとなるため、膜厚検出を精度良く行うためには、放置時間を４０ｍｉｎに設定する必要がある。
【００６６】
表９は、印刷画像毎の感光体４２の表面の膜厚検出までの温湿度センサ５５による温湿度以外に光疲労を加味した放置時間を例示したものである。
【表９】
2018124454.tif 000011
表９からは、１枚目印刷時の放置時間は印刷画像種に応じてまちまちな結果を示し、文字やハーフトーンでは温湿度の方が光疲労よりも長く、文字写真やベタ画像では光疲労の方が温湿度よりも長くなっている。２枚目以降印刷時の追加放置時間についても同様であり、文字や文字写真では温湿度の方が光疲労よりも長く、ハーフトーンやベタ画像では光疲労の方が温湿度よりも長くなっている。そこで、制御手段としてのＣＰＵ５１は、潜像画像描画のための書込照射量と除電光量とに関係した光疲労の回復時間を加味して放置時間を設定すれば良く、これによって最適な時間設定が可能となる。一般的に、照射した光量が大きい程、光疲労の回復時間が長くなるため、照射量の多いベタ画像等で光疲労の回復時間が長くなる。例えばベタ画像の場合の膜厚検出に必要な光疲労の回復時間を示す放置時間は１５．６ｍｉｎとなる。
【００６７】
理論的に温湿度センサ５５近傍の温湿度と帯電系部材の温湿度とが一致するために必要な放置時間は無限時間となる。無限時間の放置は現実的に不可能であるため、或る有限時間で時間設定を行う必要があるが、放置時間が短い程、温湿度の精度は粗くなり、逆に長い程、精度は高くなる。そこで、必要な精度となる待ち時間として、温湿度センサ５５の温湿度の値と帯電系部材の温湿度の値との差（ズレ)を状況により使い分ければ、最適な時間設定とすることができる。
【００６８】
表１０は、或る膜厚検出精度の相違による放置時間の違いを膜厚検出誤差、目標値Δφ、１枚印刷後の放置時間について具体的に例示したものである。
【表１０】
2018124454.tif 000012
表１０からは、膜厚検出誤差が２％の場合、目標値Δφが±０．２℃であり、１枚印刷後の放置時間が３５ｍｉｎとなっている。また、膜厚検出誤差が５％の場合、目標値Δφが±１．０℃であり、１枚印刷後の放置時間が２１ｍｉｎとなっている。更に、膜厚検出誤差が１０％の場合、目標値Δφが±１．４℃であり、１枚印刷後の放置時間が１３ｍｉｎとなっている。この表１０に示されるように、必要な膜厚検出精度に応じて放置時間を使い分ければ、最適な時間設定が可能となる。そこで、制御手段としてのＣＰＵ５１は、感光体４２の表面の膜厚の検出精度に応じて放置時間の差分値を切り替えれば良く、これによって膜厚の検出精度を高めることができる。
【００６９】
尚、本実施例で利用する感光体４２の表面の膜厚検出は、帯電用高圧電源４１の出力電圧値と出力電流値とを用いる必要があるため、画像形成装置１の本体の電源が入っている必要がある。しかしながら、放置時間のカウントは、必ずしも画像形成装置１の本体の電源が入っている必要はなく、例えば図４を参照して説明したように蓄電池等を搭載しているコントローラ５２等に接続したタイマ５４等で継続的に実行することが可能である。また、本実施例で適用する感光体４２の表面の膜厚検出するための手段は、感光体４２に高電圧を印加する帯電用高圧電源４１の出力電圧及び出力電流と温湿度センサ５５の環境温湿度情報とを利用する例えば特許文献１に開示されているような技術を適用できる。ここでは、補正時期が到来したことを確認してから予め定められた複数の帯電電圧を帯電系部材に印加した後、各帯電電圧印加時の帯電電流を検知する。この後、電流（Ｉ）−電圧（Ｖ）特性を算出して感光体４２の表面の膜厚検出を行ってから温湿度センサ５５から温度及び湿度を取得し、これに基づいて膜厚を補正する。最後に補正された膜厚に応じた電圧を決定し、その決定された電圧を帯電電圧として帯電用高圧電源４１から帯電系部材へ印加する。因みに、このような帯電用高圧電源４１の電力制御は様々に考えられ、この他の手法も適用可能であるので、特に問わないものとする。
【００７０】
図１１は、図４に示す制御系回路に係る基本制御の動作処理を示すフローチャートである。制御系回路に係る基本制御では、まずＣＰＵ５１によって、感光体４２の表面の膜厚検出が実行決定されているか否かの判定（ステップＳ１）を行う。この判定の結果、実行決定されていなければそのまま動作処理を終了するが、実行決定されていれば画像形成装置１のマシン動作情報等の動作情報取得（ステップＳ２）の処理を行う。この動作情報取得時には過去の動作情報についても取得することが可能である。この後は放置時間導出（ステップＳ３）の処理を行って所定時間に該当する放置時間を設定する。更に、放置時間が経過したか否かの判定（ステップＳ４）を行う。この判定の結果、放置時間が経過していなければこの判定の前に戻って放置時間が経過するまで処理を繰り返すようにし、放置時間が経過していれば引き続いて感光体４２の表面の膜厚検出が実行可能か否かの（ステップＳ５）を行う。この判定の結果、膜厚検出が実行可能でなければこの判定の前に戻って実行可能になるまで処理を繰り返すようにし、膜厚検出が実行可能であれば膜厚検出実施（ステップＳ６）としてから動作処理を終了する。
【００７１】
ところで、図１１に示す基本制御の動作処理では、新たなマシン動作要求が来た場合に、放置時間が経過したか否かの判定（ステップＳ４）のカウント中であれば新たなマシン動作要求を受け付けることができない。そこで、こうした問題を対処するため、途中で受け付けた新たなマシン動作要求に対して放置時間を追加する動作要求適応制御を実施する。
【００７２】
図１２は、図４に示す制御系回路に係る動作要求適応制御の動作処理を示すフローチャートである。制御系回路に係る動作要求適応制御では、まずＣＰＵ５１によって、感光体４２の表面の膜厚検出が実行決定されているか否かの判定（ステップＳ１）を行う。この判定の結果、実行決定されていなければそのまま動作処理を終了するが、実行決定されていれば画像形成装置１のマシン動作情報等の動作情報取得（ステップＳ２）の処理を行う。この初回の動作情報取得時においても過去の動作情報を取得することが可能である。この後は放置時間導出（ステップＳ３）の処理を行って所定時間に該当する放置時間を設定する。更に、この後は印刷等のマシン動作要求が有るか否かの判定（ステップＳ４）を行う。この判定の結果、マシン動作要求が有れば動作情報取得（ステップＳ２）の処理の前に戻ってそれ以降の処理を繰り返す。これによって、途中で受け付けた新たなマシン動作要求に対して放置時間を追加することが可能になる。
【００７３】
これに対し、マシン動作要求が無ければ引き続いて放置時間が経過したか否かの判定（ステップＳ５）を行う。この判定の結果、放置時間が経過していなければマシン動作要求が有るか否かの判定（ステップＳ４）の前に戻ってそれ以降の処理を繰り返すようにし、放置時間が経過していれば引き続いて感光体４２の表面の膜厚検出が実行可能か否かの判定（ステップＳ６）を行う。この判定の結果、膜厚検出が実行可能でなければマシン動作要求が有るか否かの判定（ステップＳ４）の前に戻ってそれ以降の処理を繰り返すようにし、膜厚検出が実行可能であれば膜厚検出実施（ステップＳ７）としてから動作処理を終了する。このように、途中で受け付けた新たなマシン動作要求に対して放置時間を追加することにより、ユーザに待ち時間を与えることなく、ユーザの使用状況にない状態で感光体４２の表面の膜厚の検出を行うことができる。また、初回の動作情報の取得時に過去の動作情報も取得することが可能になる。
【００７４】
図１３は、図１１の基本制御の動作処理中又は図１２の動作要求適応制御の動作処理中に含まれる放置時間導出の処理の細部を印刷モードに応じて行う場合の動作処理を示すフローチャートである。但し、ここではメモリ５３に予め印刷モード毎に使用される印刷用紙の種類に応じた放置時間が複数のテーブル形式で格納されているものとする。
【００７５】
図１３を参照すれば、放置時間導出の処理が開始されると、最初にモノクロ印刷か否かの判定（ステップＳ１）が行われる。この判定の結果、モノクロ印刷であれば引き続いて普通紙であるか否かの判定（ステップＳ２）が行われる。この判定の結果、普通紙であればテーブルＮｏ．Ｎ参照（ステップＳ３）として適応する放置時間を取得してから放置時間導出終了とする。これに対し、普通紙でなければ（厚紙であれば）テーブルＮｏ．Ｎ＋１参照（ステップＳ３）として適応する放置時間を取得してから放置時間導出終了とする。また、モノクロ印刷か否かの判定（ステップＳ１）の結果、モノクロ印刷であければ（カラー印刷であれば）引き続いて同様に普通紙であるか否かの判定（ステップＳ５）が行われる。この判定の結果、この判定の結果、普通紙であればテーブルＮｏ．Ｎ＋２参照（ステップＳ６）として適応する放置時間を取得してから放置時間導出終了とする。これに対し、普通紙でなければ（厚紙であれば）テーブルＮｏ．Ｎ＋３参照（ステップＳ７）として適応する放置時間を取得してから放置時間導出終了とする。因みに、図１３では印刷モード毎に使用される印刷用紙の種類に応じて設定された放置時間を切り替える場合を説明したが、それ以外にも様々な条件を適用できるのは上述した通りである。
【００７６】
ところで、上述した実施例に係る画像形成装置１の技術的要旨は、画像形成装置１の制御方法として換言することができる。この制御方法は、帯電用高圧電源４１が帯電用に高圧な電力供給を行う電力供給ステップと、帯電部材（帯電ローラ４３）が電力供給を受けて帯電される帯電ステップと、作像媒体の感光体４２が帯電ステップを経て帯電の対象となる帯電対象ステップと、を有する。また、制御手段（ＣＰＵ５１）が電力供給ステップでの電力供給への電力値指令信号を出力し、且つ電力供給ステップからの電力値帰還信号に基づいて電力供給を制御する制御ステップと、タイマ５４が経過時間をカウントするカウントステップと、を有する。更に、記憶手段（メモリ５３）がカウントステップによる経過時間に基づいて目標とする放置時間を記憶する記憶ステップを有する。加えて、温度センサが感光体４２とは隔たった設置箇所で自装置内の温度を検出する温度検出ステップと、湿度センサが感光体４２とは隔たった設置箇所で自装置内の湿度を検出する湿度検出ステップと、を有する。こうした各ステップを有することを前提とする。
【００７７】
また、制御ステップでは、カウントステップでのタイマ５４から経過時間を取得し、温度検出ステップで検出された自装置内の温度と予め推測される感光体４２の周囲の温度との差が感光体４２の表面の膜厚の検出精度に必要な一定値以下となる待ち時間を算出する。或いは、湿度検出ステップで検出された自装置内の湿度と予め推測される感光体４２の周囲の湿度との差が感光体４２の表面の膜厚の検出精度に必要な一定値以下となる待ち時間を算出しても良い。これらの少なくとも一方から算出した待ち時間を目標とする放置時間に定めて記憶ステップで記憶させ、放置時間の経過後に感光体４２の表面の膜厚の検出を行うものである。
【００７８】
制御ステップでは、帯電部材（帯電ローラ４３）又は感光体４２の材質が持つ熱伝導率の相違、熱容量の相違、表面積の相違の少なくとも１つに応じて放置時間を切り替えることが好ましい。また、制御ステップでは、温度検出ステップでの温度センサに係る自装置内の温度の測定対象物の設置箇所から感光体近傍の設置箇所までの距離の相違に応じて放置時間を切り替えることが好ましい。或いは、湿度検出ステップでの湿度センサに係る自装置内の温度の測定対象物の設置箇所から感光体４２近傍の設置箇所までの距離の相違に応じて放置時間を切り替えることも可能である。その他、それらの距離におけるレイアウトの態様に応じて放置時間を切り替えることも可能である。
【００７９】
一方、制御ステップでは、帯電方式の相違、画像形成対象の記録媒体の枚数、記録媒体の種類、記録媒体に対する画像形成用の画像データの種類の少なくとも１つに応じて放置時間を切り替えることが好ましい。その他、帯電部材（帯電ローラ４３）又は感光体４２の経過使用後の熱伝導率の変化に応じて放置時間を切り替えることも可能である。
【００８０】
他方、制御ステップでは、電力供給で印加される高電圧の強さと印加時間とに関係した静電疲労の回復時間、或いは潜像画像描画のための書込照射量と除電光量とに関係した光疲労の回復時間を加味して放置時間を設定することが好ましい。その他、制御ステップでは、感光体４２の表面の膜厚の検出精度に応じて放置時間の差分値を切り替えることが好ましい。
【００８１】
尚、本発明は上述した実施例に限定されず、その技術的要旨を逸脱しない範囲で種々の変形が可能であり、特許請求の範囲に記載された技術思想に含まれる技術的事項の全てが本発明の対象となる。上記実施例は、好適な例を示したものであるが、当業者であれば、開示した内容から様々な変形例を実現することが可能であるが、これらは添付した特許請求の範囲に記載された技術的範囲に含まれる。
【符号の説明】
【００８２】
１  画像形成装置
１０  本体部
１１、２１  ＣＰＵ
１２、２２  ＲＯＭ
１３、２３  ＲＡＭ
１４  ＨＤＤ
１５、２５  通信Ｉ／Ｆ
１６、２６  接続Ｉ／Ｆ
１７  プリントエンジン
１８、２９  共通バス
２０  操作部
２０ａ  表示画面
２４  フラッシュメモリ
２７  操作パネル
２８  外部接続Ｉ／Ｆ
３０  ネットワーク
４１  帯電用高圧電源
４２  感光体
４３  帯電ローラ
４４  露光部
４５  現像器
４６  １次転写ローラ
４７  中間ベルト
４８  除電器
４９  １次転写用高圧電源
５１  ＣＰＵ
５２  コントローラ
５３  メモリ
５４  タイマ
５５  温湿度センサ
１００、２００  コントローラ
１０１  印刷制御部
１０２  画像生成部
１０３、２０１  送受信部  
１０４、２０３  記憶・読出処理部
１０５  ジョブ処理判断部
１０６、２０５  記憶部
２０２  ジョブ受付部
２０４  表示制御部
３００  インターフェースケーブル
【先行技術文献】
【特許文献】
【００８３】
【特許文献１】特許第６０４３７３９号公報
【図１】
2018124454.tif 000013
【図２】
2018124454.tif 000014
【図３】
2018124454.tif 000015
【図４】
2018124454.tif 000016
【図５】
2018124454.tif 000017
【図６】
2018124454.tif 000018
【図７】
2018124454.tif 000019
【図８】
2018124454.tif 000020
【図９】
2018124454.tif 000021
【図１０】
2018124454.tif 000022
【図１１】
2018124454.tif 000023
【図１２】
2018124454.tif 000024
【図１３】
2018124454.tif 000025